(57)【要約】      （修正有）【課題】左右の幅方向にしなった携帯型電子機器を提供する。【解決手段】携帯型電子機器は、左右の幅方向にしなった第１胴体、該第１胴体に開閉可能に設置されて第１胴体のような方向にしなった第２胴体及び第１胴体と前記第２胴体との間に設置されて第２胴体を開閉可能に前記第１胴体に支持する支持手段を含む構成を有して、デザインを多様化することができ、手で握るのに楽なだけでなく、特にスライド式開閉方式を採用する携帯型電子機器では親指の滑りが少なく発生される。【選択図】図３
2009112004.tif 000002
【特許請求の範囲】
【請求項１】
左右の幅方向にしなった第１胴体と、
前記第１胴体に開閉可能に設置されて、前記第１胴体と同じ方向にしなった第２胴体と、
前記第１胴体と前記第２胴体との間に設置されて、前記第２胴体を開閉可能に、前記第１胴体に支持する支持手段と、を含むことを特徴とする左右の幅方向にしなった携帯型電子機器。
【請求項２】
前記支持手段は、前記第１胴体に設置されて、前記第１胴体と同じ方向にしなったスライド案内部と前記第２胴体に前記第１胴体と同じ方向にしなった経路に沿って形成されて前記スライド案内部に結合されて案内を受ける被スライド案内部からなることを特徴とする請求項１に記載の左右の幅方向にしなった携帯型電子機器。
【請求項３】
前記支持手段は、前記第１胴体に設置されて、前記第１胴体と同じ方向にしなったスライド案内部と前記第２胴体に前記第１胴体と同じ方向にしなった経路に沿って形成されて、前記スライド案内部に結合されて案内を受ける被スライド案内部からなり、前記第１胴体と第２胴体との間に前記第２胴体の位置によって前記第２胴体を閉まる方向または開かれる方向に弾性力を提供するためのスプリングが設置されることを特徴とする請求項１に記載の左右の幅方向にしなった携帯型電子機器。
【請求項４】
前記スライド案内部は、スライド案内部を有する別途の案内部材が前記第１胴体に結合されて形成されることを特徴とする請求項１ないし３のうちいずれか一つに記載の左右の幅方向にしなった携帯型電子機器。
【請求項５】
前記被スライド案内部は、被スライド案内部を有する別途のスライド部材が前記第２胴体に結合されて形成されることを特徴とする請求項１ないし３のうちいずれか一つに記載の左右の幅方向にしなった携帯型電子機器。
【請求項６】
前記支持手段は、前記第１胴体の上端に設置されて前記第２胴体をフォルダ式で開くか、または閉めることができるヒンジモジュールであることを特徴とする請求項１に記載の左右の幅方向にしなった携帯型電子機器。
【請求項７】
携帯型電子機器の第１胴体と第２胴体との間に設置されて、前記第２胴体が第１胴体に対してスライディング開閉できるスライドモジュールにおいて、
左右の幅方向にしなったスライド案内部を具備して前記第１胴体に結合するための案内部材と、
前記案内部と同じ方向にしなった経路に沿って配置されて、前記スライド案内部に結合されて、案内を受ける被スライド案内部を具備して、前記第２胴体に結合するためのスライド部材と、
前記案内部材と前記スライド部材との間に設置されて、前記スライド部材の位置によって前記スライド部材が開かれる方向、または前記スライド部材が閉まる方向に弾性力を作用させるスプリングと、を含むことを特徴とする左右の幅方向にしなったスライドモジュール。
【請求項８】
携帯型電子機器の第１胴体と第２胴体との間に設置されて、前記第２胴体が第１胴体に対してスライディング開閉できるスライドモジュールの案内部材において、
左右の幅方向にしなったスライド案内部を具備することを特徴とする左右の幅方向にしなった案内部材。
【発明の詳細な説明】
【技術分野】
【０００１】
本発明は、携帯型電子機器とスライドモジュール及びその部品に関するものであり、特に携帯型無線電話機、ＰＤＡなど主基板などの主要部品らが設置される第１胴体と、該第１胴体に開閉可能に設置されてディスプレイが設置される第２胴体及び第１胴体と第２胴体との間に設置されて、第２胴体を開閉可能に支持する支持手段を具備する携帯型電子機器とこのためのスライドモジュール及びその部品に関するものである。
【背景技術】
【０００２】
一般的に、“携帯型電子機器”とは、使用者が携帯して通いながら通信、ゲーム、学習、音楽感想、テレビ視聴などを遂行することができる装置を意味する。
【０００３】
このような携帯型電子機器としては、携帯型無線電話機、ＰＤＡ、電子計算機、電子手帳、ＭＰ３プレーヤー、ノートブック、携帯型ゲーム機などがあって、携帯端末機であると称することもある。
【０００４】
従来の携帯型電子機器は直線型に構成されており、これによって携帯型電子機器を構成する第１胴体、第２胴体、支持手段などが直線型に構成されている。
【発明の開示】
【発明が解決しようとする課題】
【０００５】
本発明者は既存の機器には後と同じ短所を見つけた。
【０００６】
第１胴体などがすべて直線型に形成されていて製品のデザインを多様化するのに難しさがあって、携帯型電子機器を取っている手の内側と当たらなくてグリップ感が良くないという短所がある。
【０００７】
特に、携帯型電子機器の開閉方式がスライド式である場合、携帯型電子機器と接触される部分の親指の運動軌跡が直線をなさなければならないが、これは親指を動かす時親指の終りが曲線軌跡に沿って動くことと合わなくて、携帯型電子機器表面と親指の接触面との間にすべりがたくさん発生される。この場合、携帯型電子機器のスライディング開閉動作が自然ではなくて、不便であり、長期間スライド開閉式携帯型電子機器を使う場合親指の接触面が痛いことがある。
【０００８】
本発明の目的は、携帯型電子機器のデザインを多様化することができる携帯型電子機器を提供することにある。
【０００９】
本発明の他の目的は、グリップ感が良い携帯型電子機器を提供することにある。
【００１０】
本発明のまた他の目的は、スライド開閉時に親指の動作が楽な携帯型電子機器を提供することにある。
【００１１】
本発明のまた他の目的は、本発明の携帯型電子機器に使うのに好適なスライドモジュールを提供することにある。
【００１２】
本発明の残りの目的は、本発明の携帯型電子機器とスライドモジュールに使うのに好適な案内部材を提供することにある。
【課題を解決するための手段】
【００１３】
本発明による携帯型電子機器は、左右の幅方向にしなった第１胴体、該第１胴体に開閉可能に設置されて、前記第１胴体と同じ方向にしなった第２胴体及び前記第１胴体と前記第２胴体との間に設置されて、前記第２胴体を開閉可能に前記第１胴体に支持する支持手段を含む構成を有する。
【００１４】
前記支持手段は、前記第１胴体に設置されて前記第１胴体と同じ方向にしなったスライド案内部と前記第２胴体に前記第１胴体と同じ方向にしなった経路に沿って形成されて、前記スライド案内部に結合されて案内を受ける被スライド案内部から構成されることが良い。
【００１５】
場合によって前記支持手段は、前記第１胴体に設置されて前記第１胴体と同じ方向にしなったスライド案内部と前記第２胴体に前記第１胴体と同じ方向にしなった経路に沿って形成されて、前記スライド案内部に結合されて案内を受ける被スライド案内部から構成されて、前記第１胴体と第２胴体との間に前記第２胴体の位置によって前記第２胴体を閉まる方向または開かれる方向に弾性力を提供するためのスプリングが設置されることが望ましい。
【００１６】
前記スライド案内部は、スライド案内部を有する別途の案内部材が前記第１胴体に結合されて形成されることが望ましい。
【００１７】
前記被スライド案内部は、被スライド案内部を有する別途のスライド部材が前記第２胴体に結合されて形成されることが望ましい。
【００１８】
場合によって前記支持手段は、前記第１胴体の上端に設置されて前記第２胴体をフォルダ式で開くか、または閉めることができるヒンジモジュールでも良い。
【００１９】
本発明によるスライドモジュールは、携帯型電子機器の第１胴体と第２胴体との間に設置されて前記第２胴体が第１胴体に対してスライディング開閉できるスライドモジュールにおいて、左右の幅方向にしなったスライド案内部を具備して、前記第１胴体に結合するための案内部材、前記案内部と同じ方向にしなった経路に沿って配置されて、前記スライド案内部に結合されて案内を受ける被スライド案内部を具備して前記第２胴体に結合するためのスライド部材及び前記案内部材と前記スライド部材との間に設置されて前記スライド部材の位置によって前記スライド部材が開かれる方向または前記スライド部材が閉まる方向に弾性力を作用させるスプリングを含む構成を有する。
【００２０】
本発明による案内部材は携帯型電子機器の第１胴体と第２胴体との間に設置されて前記第２胴体が第１胴体に対してスライディング開閉できるスライドモジュールの案内部材において、左右の幅方向にしなったスライド案内部を具備することを特徴とする。
【発明の効果】
【００２１】
本発明による携帯型電子機器は、幅方向にしなっていて携帯型電子機器のデザインを多様化でき、手で握るのに楽であるという長所がある。
【００２２】
それだけでなく本発明による携帯型電子機器は、特にスライド開閉式の場合親指が第２胴体の表面で滑る程度を減らして手で作動するのに楽であるという長所もある。
【００２３】
本発明による携帯型電子機器は、誤って底に落とした時に重心(Center of Gravity)が曲がっている側にかたよるためにふくらんでいる側が先に地に落ちる確率が高いからふくらんでいる部分の衝撃剛性を高めれば製品を頻りに落としても破損されない。
【００２４】
そして、携帯型電子機器が落ちる時に上下正中央部を除外してふくらんでいる部分の一側が先に底に触れる場合、携帯型電子機器は回転運動をしながら衝撃力を緩衝させることができる。
【発明を実施するための最良の形態】
【００２５】
以下、添付された図面を参照して本発明の望ましい実施例を詳細に説明する。
【００２６】
図１は、本発明による携帯型電子機器の斜視図であり、図２は、図１の携帯型電子機器の第２胴体がスライディング開放された状態の斜視図であり、図３は、図１の携帯型電子機器の分解斜視図であり、図４は図３の底面側で見て示す分解斜視図である。
【００２７】
図１ないし図４に示すように、本発明による携帯型電子機器１００は、左右の幅方向にしなった第１胴体１１０を具備する。この第１胴体１１０は、その内部に主基板と関連部品らが設置される部分であり、その表面では入力キーらが主に設置される部分である。このような第１胴体１１０は、下部から上部側に行くほど右側にしなっている。
【００２８】
本発明による携帯型電子機器１００は、左右の幅方向にしなった第２胴体１３０を具備する。この第２胴体１３０は、主にディスプレイが設置される部分で、第１胴体１１０上でスライディングを通じて開閉可能に設置される部分であり、そのしなった方向は第１胴体１１０におけるように下部から上部側に行くほど右側にしなっている。
【００２９】
本実施例で、第１胴体１１０と第２胴体１３０は、下部から上部側に行くほど右側にしなっているが、下部から上部側に行くほど左にしなるように構成できることは勿論である。
【００３０】
第１胴体１１０と第２胴体１３０との間には、第２胴体１３０を開閉可能に第１胴体１１０に支持する支持手段１５０を具備する。
【００３１】
図１ないし図４に示す支持手段１５０は、スライドモジュール１５２として、第１胴体１１０にねじ部材１６１を通じて固定される案内部材１６０を具備する。この案内部材１６０の両側端に沿ってスライド案内部１６３が形成されている。このスライド案内部１６３は内側面が開口された側面溝形態を取っており、第１胴体１６３と同じ方向、同じ曲率でしなっている。このスライド案内部１１０は、第２胴体１３０が第１胴体１１０上でスライディング開閉できるように案内してくれる部分である。このような案内部材１６０の底部には第１胴体１１０と第２胴体１３０との間に制御信号とデータ信号などをお互いに送受信するためのフレキシブルコネクターが通過されることができる通孔１６５が形成されている。
【００３２】
場合によってスライド案内部１６３は、第１胴体１１０に一体で形成されることができ、この場合案内部材１６０は必要ではない。
【００３３】
支持手段１５０は、被スライド案内部１７３を有するスライド部材１７０を具備する。このスライド部材１７０はねじ部材１７１を通じて第２胴体１３０の底面に固定されるものであり、その両側端に沿って係止突起形状の被スライド案内部１７３が形成されている。被スライド案内部１７３も第１胴体１１０の同じ方向、同じ曲率でしなっている。このスライド部材１７０の一側にもフレキシブルコネクターが通過されることができる通孔１７５が形成されている。
【００３４】
場合によって被スライド案内部１７３は、第２胴体１３０に一体で形成されることができ、この場合スライド部材１７０は必要ではない。
【００３５】
また場合によって被スライド案内部１７３は、円形断面のシャフトから構成されて、スライド案内部はシャフトを収容して支持することができる円形断面の穴または半円断面の溝などで形成されることができることは勿論である。
【００３６】
案内部材１６０とスライド部材１７０との間にはトーションスプリング１８０が設置される。このトーションスプリング１８０は、第１胴体１１０と第２胴体１３０との間に設置されるものであり、第２胴体１３０の位置によって第２胴体１３０に閉まる方向または開かれる方向に弾性力を提供するためのものである。このトーションスプリング１８０の代りに他の形態のスプリングが使われることができることは容易に分かる。このトーションスプリング１８０は、一端は案内部材１６０または第１胴体１１０に連結されて、他端はスライド部材１７０に連結される。被スライド案内部１７３が第２胴体１３０に直接形成される場合トーションスプリング１８０の他端は第２胴体１３０に直接連結されることができる。
【００３７】
ここで左右の幅方向にしなったスライド案内部１６３を有して第１胴体１１０に結合される案内部材１６０と、スライド案内部１６３と同じ方向にしなった経路に沿って配置されて、スライド案内部１６３に結合されて案内を受ける被スライド案内部１７３を具備して、第２胴体１３０に結合されるスライド部材１７０及び案内部材１６０とスライド部材１７０との間に設置されて、スライド部材１７０の位置によってスライド部材１７０が開かれる方向またはスライド部材１７０が閉まる方向に弾性力を作用させるトーションスプリング１８０はスライドモジュール１５２として、携帯型電子機器１００の別途の部品で製作して販売することができる。
【００３８】
場合によって案内部材１６０のみを別に製作及び流通して本発明による携帯型電子機器１００の製作に利用されることができる。
【００３９】
図１ないし図４に示すような携帯型電子機器１００は、幅方向にしなっていて携帯型電子機器のデザインを多様化することができる。この携帯型電子機器１０２は両側面が手の内側面と符合される曲線型をなしていて手で握るのが楽である。
【００４０】
そして、誤って携帯型電子機器１００を底に落とした時に上下中央部を除いた左側のふくらんでいる部分の一側が先に底に触れる場合、携帯型電子機器１００は回転運動をしながら衝撃力を緩衝することができる。
【００４１】
それだけでなく、本発明による携帯型電子機器は特にスライド開閉式の場合親指が第２胴体の表面で滑る程度を減らして手で作動するのに楽であるという長所もある。
【００４２】
そして、誤って携帯型電子機器を底に落とした時上下中央部を除外してふくらんでいる部分の一側が先に底に触れる場合、携帯型電子機器は回転運動をしながら衝撃力を緩衝することができる。
【００４３】
図５と図６は、図１の携帯型電子機器を開閉する過程を説明するための図面であり、図７と図８は、この時の親指端の軌跡を説明するための図面である。
【００４４】
図５に示すように携帯型電子機器１００を図７に示すように手１０で握った状態で親指１１端を上に押し上げれば、第２胴体１３０は第１胴体１１０に設置された案内部材１６０のスライド案内部１６３に乗って上方へ移動しながら右側にも移動して、すこし時計方向に回転するスライディングをする。この時親指１１端は、図７と図８で点線に示すように上方へ移動すると同時にすこし右側に移動する時計方向に回転する軌跡に沿って移動する。この移動で親指１１端は、おおよそ親指１１下端を中心とする円運動をする。この過程で第２胴体１３０の回転半径が親指１１端の回転半径より大きいために親指１１の第２胴体１３０の接触部位は若干の滑りが発生される。しかし、第２胴体１３０も上方へ移動されながら右側にも移動されるために、第２胴体１３０と接触する親指１１の端は、従来の回転半径が無限大である直線スライド型よりは少なくすべりが発生する。第２胴体１３０の回転半径、すなわちスライド案内部１６３の曲率半径が小さくなって、親指１１端の曲率半径に近くなるほど親指１１端の滑りは少なく発生される。このようにして完全に開放された状態は、図６に示されている。
【００４５】
トーションスプリング１８０は、図５に示すように第２胴体１３０が閉まった状態では第２胴体１３０を下方に押してくれて、図７に示すように開かれた状態では第２胴体１３０を上方に押してくれる。このトーションスプリング１８０は、図５で案内部材１６０に支持された上側支持点１８１を中心に反時計方向に回転して、第２胴体１３０が開放された時には第２胴体１３０を上方に押してくれる。
【００４６】
図９は、本発明による携帯型電子機器の他の実施例を示す斜視図である。
【００４７】
図９に示すように場合によっては、第１胴体１１０と第２胴体１３０とを連結する支持手段１５０でスライドモジュール１５２ではないヒンジモジュール１５４を利用してフォルダ式で第２胴体１３０を開閉して、本発明による携帯型電子機器１０２を構成することができる。この場合ヒンジモジュール１５４は、第１胴体１１０の上端に設置されて、ここに第２胴体１３０の一端が連結されて構成されることができる。ヒンジモジュール１５４は、既に開発されているものを使えば良い。
【００４８】
図９の携帯型電子機器１０２も両側面が手の内側面と符合する曲線型をなしていて手で握るのが楽であり、デザインを多様化することができる。
【００４９】
そして、誤って携帯型電子機器１０２を底に落とした時、上下中央部を除いた左側のふくらんでいる部分の一側が先に底に触れる場合携帯型電子機器１０２は回転運動をしながら衝撃力を緩衝することができる。
【産業上の利用可能性】
【００５０】
本発明は、人が携帯して持ち歩いている途中、手に握って使う携帯型電子機器とその部品らの製造に利用することができる。
【図面の簡単な説明】
【００５１】
【図１】本発明による携帯型電子機器の斜視図である。
【図２】図１の携帯型電子機器の第２胴体がスライディング開放された状態の斜視図である。
【図３】図１の携帯型電子機器の分解斜視図である。
【図４】図３の底面側で見て示す分解斜視図である。
【図５】図１の携帯型電子機器を開閉する過程を説明するための図面である。
【図６】同じく、図１の携帯型電子機器を開閉する過程を説明するための図面である。
【図７】この時の親指端の軌跡を説明するための図面である。
【図８】同じく、この時の親指端の軌跡を説明するための図面である。
【図９】本発明による携帯型電子機器の他の実施例を示す斜視図である。
【符号の説明】
【００５２】
１００、１０２  携帯型電子機器
１１０  第１胴体
１３０  第２胴体
１５０  支持手段
１５２  スライドモジュール
１５４  ヒンジモジュール
１６０  案内部材
１６３  スライド案内部
１７０  スライド部材
１７３  被スライド案内部
１８０  トーションスプリング
【図１】
2009112004.tif 000003
【図２】
2009112004.tif 000004
【図３】
2009112004.tif 000005
【図４】
2009112004.tif 000006
【図５】
2009112004.tif 000007
【図６】
2009112004.tif 000008
【図７】
2009112004.tif 000009
【図８】
2009112004.tif 000010
【図９】
2009112004.tif 000011